(57)【要約】【課題】  媒体に付与された磁性ワイヤーの特定部分を切り取って、特定部分の磁性ワイヤーを用紙に残すことにより、用紙に特定の磁気特性を形成し、用紙に特定の情報を形成する情報形成装置を提供する。【解決手段】  用紙３０に接する周面上に、用紙３０に付与された磁性ワイヤー３１を加工する切断刃３４と、切断刃３４をローラ３３の周面より選択的に突出可能な状態に設置した制御刃３５とが設置された、用紙３０の移動に伴って回転するローラ３３によって、用紙３０に付与された磁性ワイヤー３１の特定部分を加工する。【選択図】  図３
2006268539.tif 000002
【特許請求の範囲】
【請求項１】
用紙に付与された磁性ワイヤーの特定部分を加工することにより該用紙に情報を付加する情報形成装置において、
前記用紙の移動に伴って回転し前記用紙に接する周面上に選択的に突出可能な複数の切断刃を設けた回転体と、
前記回転体を前記用紙に接して回転させることにより前記切断刃で前記用紙に付与された前記磁性ワイヤーの特定部分を切断加工する加工手段と
を具備することを特徴とする情報形成装置。
【請求項２】
前記加工手段は、
前記用紙に付与された磁性ワイヤーの特定部分を前記加工部により該磁性ワイヤーの検知装置によって検知ができない状態に切断する
ことを特徴とする請求項１記載の情報形成装置。
【請求項３】
前記加工手段は、
前記用紙に付与された前記磁性ワイヤーの特定部分を前記切断刃により前記用紙と一緒に切り取る
ことを特徴とする請求項２記載の情報形成装置。
【請求項４】
前記加工手段は、
前記用紙に付与された前記磁性ワイヤーの特定部分を前記切断刃により細かく切断する
ことを特徴とする請求項２記載の情報形成装置。
【請求項５】
前記切断刃は、
前記磁性ワイヤーを細かく切断する為に、複数の刃を並べて構成される
ことを特徴とする請求項４記載の情報形成装置。
【請求項６】
用紙に付与された磁性ワイヤーの特定部分を加工することにより該用紙に情報を付加する情報形成方法において、
前記用紙に接する周面上に選択的に突出可能な複数の切断刃を設けた回転体を前記用紙の移動に伴って回転させ、
前記回転体の切断刃により前記用紙に付与された前記磁性ワイヤーの特定部分を加工手段により切断加工する
ことを特徴とする情報形成方法。
【発明の詳細な説明】
【技術分野】
【０００１】
本発明は、情報形成装置および方法に関し、特に、用紙に付与された磁性ワイヤーの特定部分を切り取って、特定部分の磁性ワイヤーを用紙に残すことにより、用紙に特定の磁気特性を形成し、用紙に特定の情報を形成する情報形成装置および方法に関する。
【背景技術】
【０００２】
近年、機密情報や個人情報等の不正持ち出しによる情報漏洩防止、有価証券等の不正複写による偽造防止等のセキュリティ強化を目的とする種々の方法や装置が提案されている。
【０００３】
不正持ち出しや偽造の防止を可能とする技術として、媒体に磁性ワイヤーを付与し、磁性ワイヤーに一定以上の外部磁界を与えると該磁性ワイヤーが磁化反転する大バルクハウゼン効果を利用して磁性ワイヤーの磁化反転時に発生する急峻な磁気パルスを検知することにより媒体を識別する技術が存在する。
【０００４】
特許文献１においては、物品に大バルクハウゼン効果を有する磁気マーカーを付与して、物品の種類や数量を識別する磁気マーカーを励磁する方法が提案されている。
【０００５】
また、媒体に付与する磁性ワイヤーから得る情報量を多くすることで、模倣を困難にして高度のセキュリティを確保することができる。
【０００６】
特許文献２においては、大バルクハウゼン効果を発生させることができる磁性ワイヤーと大バルクハウゼン効果を発生させない磁性ワイヤーとを使用し、各々の磁性ワイヤーに２種類の識別用外部磁界を印加することで、識別用外部磁界の違いにより各々の磁性ワイヤーから発生される信号が異なることを利用して、各々の磁性ワイヤーを貼り付けた物品に対する高度のセキュリティを確保することができる識別機能を有する物品およびその識別方法が提案されている。
【特許文献１】特開平５−１２６９６３号公報
【特許文献２】特開平１１−３０６２７５号公報
【発明の開示】
【発明が解決しようとする課題】
【０００７】
しかし、従来の技術では、大バルクハウゼン効果を発生させる磁性ワイヤーと大バルクハウゼン効果を発生させない磁性ワイヤーとを組み合わせて媒体に付与することにより、多くの情報を媒体に形成することが可能となるが、磁性ワイヤーが媒体に付与された後に、媒体に対して情報を形成する技術ではなかった。
【０００８】
つまり、個々の媒体に特有の情報を形成するには、形成する情報に応じた磁性ワイヤーを予め個々の媒体に付与する必要があった。
【０００９】
それでは、多量の媒体に情報を形成する場合には、多量の媒体に対して、媒体固有の磁性ワイヤーを付与しなければならず、作業に手間がかかる。
【００１０】
そこで、この発明は、予め個々の用紙に、形成する情報に応じた磁性ワイヤーを付与するのではなく、用紙に磁性ワイヤーが付与された後に、用紙に付与された磁性ワイヤーの特定部分を切り取って、特定部分の磁性ワイヤーを用紙に残すことにより、用紙に特定の磁気特性を形成し、用紙に特定の情報を形成する情報形成装置および方法を提供することを目的とする。
【課題を解決するための手段】
【００１１】
上記目的を達成する為、請求項１の発明は、用紙に付与された磁性ワイヤーの特定部分を加工することにより該用紙に情報を付加する情報形成装置において、前記用紙の移動に伴って回転し前記用紙に接する周面上に選択的に突出可能な複数の切断刃を設けた回転体と、前記回転体を前記用紙に接して回転させることにより前記切断刃で前記用紙に付与された前記磁性ワイヤーの特定部分を切断加工する加工手段とを具備することを特徴とする。
【００１２】
また、請求項２の発明は、請求項１の発明において、前記加工手段は、前記用紙に付与された磁性ワイヤーの特定部分を前記加工部により該磁性ワイヤーの検知装置によって検知ができない状態に切断することを特徴とする。
【００１３】
また、請求項３の発明は、請求項２の発明において、前記加工手段は、前記用紙に付与された前記磁性ワイヤーの特定部分を前記切断刃により前記用紙と一緒に切り取ることを特徴とする。
【００１４】
また、請求項４の発明は、請求項２の発明において、前記加工手段は、前記用紙に付与された前記磁性ワイヤーの特定部分を前記切断刃により細かく切断することを特徴とする。
【００１５】
また、請求項５の発明は、請求項４の発明において、前記切断刃は、前記磁性ワイヤーを細かく切断する為に、複数の刃を並べて構成されることを特徴とする。
【００１６】
また、請求項６の発明は、用紙に付与された磁性ワイヤーの特定部分を加工することにより該用紙に情報を付加する情報形成方法において、前記用紙に接する周面上に選択的に突出可能な複数の切断刃を設けた回転体を前記用紙の移動に伴って回転させ、前記回転体の切断刃により前記用紙に付与された前記磁性ワイヤーの特定部分を加工手段により切断加工することを特徴とする。
【発明の効果】
【００１７】
本発明の情報形成装置および方法によれば、用紙の移動に伴って回転し用紙に接する周面上に選択的に突出可能な複数の切断刃を設けた回転体と、回転体を用紙に接して回転させることにより切断刃で用紙に付与された磁性ワイヤーの特定部分を切断加工する加工手段とを具備するように構成したので、用紙に付与された磁性ワイヤーの特定部分を切り取って、特定部分の磁性ワイヤーを用紙に残すことにより、用紙に特定の磁気特性を形成し、用紙に特定の情報を形成することができるという効果を奏する。
【発明を実施するための最良の形態】
【００１８】
以下、本発明に係わる情報形成装置および方法の実施例について添付図面を参照して詳細に説明する。
【００１９】
本発明に係わる情報形成装置は、機密情報の不正複写、不正持ち出しの防止を目的として、機密情報等が記載された用紙に付与された、所定の磁界を与えることで信号を発する磁性ワイヤーの特定部分の形状を変化させて、用紙に情報を形成するように構成される。
【００２０】
磁性ワイヤーは、磁界を受けることで磁化され、磁化反転時に急峻な磁気パルスを発するような、所謂大バルクハウゼン効果の特性を有するＦｅ−Ｃｏ系アモルファス材で構成され、長さに応じた保磁力を有する。
【００２１】
そして、磁性ワイヤーは、励磁コイルと検知コイルを備える検知装置によって検知されるのであるが、詳しくは、励磁コイルから与えられた所定の交番磁界によって磁化反転される所謂大バルクハウゼン効果の際に発する磁気パルスが検知コイルを介して検知されるが、磁性ワイヤーの保磁力に応じて磁気パルスの検出時間と検出出力が異なって検出される。
【００２２】
まず、本発明に係る情報形成装置を適用した画像形成装置と、画像形成装置に印刷指示を送るパーソナルコンピュ−タについて図１を参照して説明を行う。
【００２３】
図１は、本発明に係わる情報形成装置１３を適用した画像形成装置１００と、画像形成装置１００に印刷指示を送るパーソナルコンピュータ２００とを示す模式図である。
【００２４】
図１に示すように本発明に係る情報形成装置１３を適用した画像形成装置１００はパーソナルコンピュータ２００（以下、ＰＣ２００と記述する）と接続されており、ＰＣ２００から、画像データと用紙に形成する情報とが含まれた印刷ジョブが画像形成装置１００に送られる。
【００２５】
画像形成装置１００では、予め、印刷に使用される、磁性ワイヤーが付与された用紙が給紙トレイに蓄えられており、該用紙によってＰＣ２００からの印刷ジョブに含まれる画像データの印刷が行われ、画像形成装置１００の排紙トレイ近傍に設けられた本発明に係る情報形成装置によって、用紙に付与されている磁性ワイヤーの特定部分が切り取られ、切り取られた磁性ワイヤーはそのまま用紙に付与される。
【００２６】
用紙に付与された磁性ワイヤーの切り取られ方によって、用紙に残る磁性ワイヤーの本数が異なる。
【００２７】
つまり、用紙に付与された１本の磁性ワイヤーから数箇所を切り取ることによって、用紙には、短い数本の磁性ワイヤーが残存し、このように数本の磁性ワイヤーが残存する用紙が検知装置で検知される際には、残存する磁性ワイヤーに対応して特定の磁気パルスが検出されるので、用紙には、残存する磁性ワイヤーに応じた磁気特性が形成される。
【００２８】
このように、用紙に付与された磁性ワイヤーの切り取られ方によって、用紙には残存する磁性ワイヤーに応じた磁気特性が形成される。
【００２９】
磁性ワイヤーを切り取る情報形成装置によって、用紙には、残存する磁性ワイヤーに応じた磁気特性が形成されるので、特定の磁気特性が形成されることによって、検知装置によって用紙に残存している磁性ワイヤーが検知される際には、該特定磁気特性に応じた磁気パルスという情報が検出される。
【００３０】
それで、用紙は、情報形成装置で用紙に付与された磁性ワイヤーが切り取られることによって、残存する磁性ワイヤーによる特定の磁気特性に応じた磁気パルスという情報を発することができるように形成される。
【００３１】
次に、本発明に係る情報形成装置が適用された画像形成装置１００について図２を参照して説明する。
【００３２】
図２は、本発明に係る情報形成装置１３が適用された画像形成装置１００の要部の構成を示す構成図である。
【００３３】
図２に示すように、画像形成装置１００は、給紙トレイ１、ピックローラ２、フィードローラ３、リタードローラ４、手差しトレイ５、原稿読取り機６、露光装置７、感光ドラム８、現像器９、転写ドラム１０、定着器１１、排紙トレイ１２、本発明に係る情報形成装置１３、ＣＰＵ（Central Processing Unit）１４、操作パネル１５、排出口１６、搬送路１７を備えている。
【００３４】
画像形成装置１００はＣＰＵ１５で動作制御が行われ、給紙トレイ１は、磁性ワイヤーが付与された用紙を蓄え、ピックローラ２は、給紙トレイ１に蓄えられた用紙を繰り出し、フィードローラ３とリタードローラ４は、ピックローラ２により繰り出された用紙を一枚ずつ繰り出して用紙を転写ドラム１０に搬送させる役目を担う。
【００３５】
手差しトレイ５は、手差しトレイ５に配置された用紙を給紙トレイ１より優先的に転写ドラム１０に搬送する。
【００３６】
原稿読取り機６は、画像形成装置１００において複写が行われる場合に、複写される原稿の画像データを読取る。
【００３７】
画像形成装置１００において、露光装置７は、複写が行われる場合は原稿読取り機８で読取った画像データの静電潜像を感光ドラム８に形成し、ＰＣ２００から送られる印刷ジョブが印刷される場合は該印刷ジョブに含まれる画像データの静電潜像を感光ドラム８に形成し、現像器９は、感光ドラム８に形成された静電潜像を現像して感光ドラム８にトナー像を形成する。
【００３８】
転写ドラム１０は、感光ドラム８に形成されたトナー像を搬送される用紙に転写し、定着器１１は、用紙に転写されたトナーの定着を行う。
【００３９】
排紙トレイ１２は、複写または印刷終了後の用紙を蓄える。
【００４０】
操作パネル１５は、ユーザからの複写指示および磁性ワイヤーが付与された用紙に対する情報形成指示等を受け付ける。
【００４１】
排出口１６は、情報形成装置１３が使用されない場合の用紙の排出口である。
【００４２】
搬送路１７は、印刷が行われずに、情報形成装置１３によって、磁性ワイヤーが付与された用紙に情報が形成される際に用紙が搬送される搬送路である。
【００４３】
次に、本発明に係る情報形成装置１３について図３を参照して説明を行う。
【００４４】
図３は、情報形成装置１３の要部と情報形成装置１３によって用紙３０に情報が形成される様子を示す模式図である。
【００４５】
情報形成装置１３は、ローラ３２、３３、切断刃３４、制御刃３５を備える。
【００４６】
ローラ３２は、円柱の形状を有し、用紙３０に付与された磁性ワイヤー３１が進行方向と平行な状態で情報形成装置１３に搬送されてきた用紙３０をローラ３３と回転しながら圧迫して、反対側に送り出す。
【００４７】
ローラ３３は、円柱の形状を有し、一部分の周に沿って切断刃３４、制御刃３５が４個ずつ交互に配置される。
【００４８】
そして、切断刃３４、制御刃３５は、図３に示すように、ローラ３３の円柱の周に沿ってそれぞれ交互に配置される。
【００４９】
なお、用紙３０には、用紙３０の搬送方向であって、用紙３０の長手方向である縦方向に平行に、用紙の縦の長さに相当する磁性ワイヤーが１本付与される。
【００５０】
情報形成装置１３は、ローラ３３が特定の位置で回転を停止しており、搬送されてきた用紙３０が情報形成装置１３のローラ３２とローラ３３との接触点付近に近づいたのが図示しないセンサによって検知されると、ローラ３３とローラ３２が図示しないモータにより回転を開始して用紙３０を圧迫しながら用紙３０を排紙トレイ１２に送り出し、送り出す過程において、ローラ３３に配置された切断刃３４と用紙３０に形成する情報に応じて刃の移動制御が行われる制御刃３５とに圧迫されることにより、用紙３０に付与された磁性ワイヤー３１の特定部分が用紙３０と一緒に切り取られる。
【００５１】
排紙トレイ１２に送り出された用紙は、付与されていた磁性ワイヤー３１の一部分が切り取られた状態となる。
【００５２】
このように排紙トレイ１２に送り出された用紙は、図示せぬ検知装置によって検知される際には、検知装置から発生される交番磁界を用紙上の磁性ワイヤーが受け、大バルクハウゼン効果により磁性ワイヤーの保磁力に応じて発生される急峻な磁気パルスが検知コイルを介して検知される。
【００５３】
磁性ワイヤーの保磁力は磁性ワイヤーの長さに応じて変化するので、検知コイルを介して検知される際に得られる信号は磁性ワイヤーの長さに応じて変化する。
【００５４】
また、検知される際には、用紙に付与された磁性ワイヤーの数に応じて検出される磁気パルスの検出信号のパルス数は異なるので、用紙に付与される磁性ワイヤーの数を異ならせることにより、用紙より検出される検出信号を異ならせることができるので、用紙に異なる磁気特性を形成し、用紙に異なる情報を形成することができる。
【００５５】
次に、情報形成装置１３に配置された切断刃３４と制御刃３５とについて図４を参照して説明する。
【００５６】
図４は、情報形成装置１３のローラ３３に配置された切断刃３４と制御刃３５の要部の詳細を示した模式図である。
【００５７】
図４（ａ）は、ローラ３３に配置された切断刃３４、制御刃３５等を示す断面図、図４（ｂ）は切断刃３４、制御刃３５の形状の一例を示す模式図、図４（ｃ）は切断刃３４、制御刃３５の形状の他の一例を示す模式図である。
【００５８】
切断刃３４と制御刃３５の形状は同じであり、切断刃３４は移動制御されないのに対して、制御刃３５はローラ３３の中心方向に移動制御可能である。
【００５９】
つまり、制御刃３５は、切断刃３４が移動制御可能となりローラ３３の周面より突出される状態が選択可能となるように設置された刃である（以下、参照番号が変わっても、制御刃は、切断刃が移動制御可能となりローラの周面より突出される状態が選択可能になるように設置された刃を指す）。
【００６０】
図４（ａ）に示すように、切断刃３４と制御刃３５は交互に４個ずつローラの周に沿って、配置される。
【００６１】
切断刃３４と制御刃３５の刃先は、ローラ３３の周面より突出された状態で配置される（以下、参照番号が変わっても、切断刃、制御刃は、移動制御が行われない状態だと、刃先が、設置されるローラの周面より突出された状態で設置される）。
【００６２】
配置されたそれぞれの切断刃３４、制御刃３５は、ローラ３３の回転によって用紙３０に付与された磁性ワイヤー３１の特定部分を用紙３０と一緒に切り取る。
【００６３】
また、切断刃３４、制御刃３５を図４（ｃ）に示す形状にすると、磁性ワイヤー３１を切り取るのではなく、磁性ワイヤー３１の特定部分を複数の検知不能の短い磁性ワイヤーに切断することで、用紙の特定の場所に検知可能な磁性ワイヤーを残して、用紙に特定の磁気特性を形成することができる。
【００６４】
まず、制御刃３５の機能について説明する。
【００６５】
制御刃３５の、ローラ３３中心側には、制御刃３５の移動制御を行う制御装置３６が配置されている。
【００６６】
制御装置３６は、ソレノイドコイルで構成され、制御刃３５をローラ３３中心方向に移動させることが出来、ローラ３３の周面より突出させることを選択可能にする。
【００６７】
制御装置３６によって制御刃３５が移動制御されることにより、ローラ３３の中心方向に制御刃３５が移動されると、制御刃３５は刃先がローラ３３の周よりも内側に位置するので、ローラ３３が回転しても用紙に付与された磁性ワイヤー３１の特定部分を切り取ることができない。
【００６８】
このように、個々の制御刃３５は、制御装置３６によって、磁性ワイヤー３１の特定部分を切り取る状態か、制御装置３６による中心側への移動制御により切り取らない状態かの２通りの設定が可能である。
【００６９】
その為、制御刃３５は、少なくとも、ローラ３３の中心方向に、磁性ワイヤー３１が付与された用紙３０の厚さ以上の距離（例えば０．１ｍｍ〜１．０ｍｍ程度）の移動が可能である。
【００７０】
そして、隣接する切断刃３４、制御刃３５の間には、制御刃３５が中心方向に用紙３０の厚さ以上の距離だけ移動ができるように、スペースが形成されている。
【００７１】
次に、切断刃３４の機能について説明する。
【００７２】
切断刃３４は、制御刃３５のように刃の移動制御が行われないので、常にローラ３３の回転によって、用紙３０に付与された磁性ワイヤー３１の特定部分を用紙３０ごと切り取る。
【００７３】
次に、切断刃３４、制御刃３５の形状について説明する。
【００７４】
切断刃３４、制御刃３５は、図４（ｂ）に示す中空構造で周囲が刃で構成されている形状と、図４（ｃ）に示す複数の刃で構成される形状とがある。
【００７５】
切断刃３４、制御刃３５の形状が、図４（ｂ）に示すように周囲が刃で構成される形状の場合には、制御装置３６によってローラ３３の中心方向への移動制御が行われていない制御刃３５と切断刃３４とは、形成されている刃によって磁性ワイヤー３１の特定部分を用紙３０と一緒に切り取って用紙の特定の場所に検知可能な磁性ワイヤーを残す。
【００７６】
また、切断刃３４、制御刃３５の形状が、図４（ｃ）に示すように複数の刃で構成される形状の場合には、制御装置３６によってローラ３３の中心方向への移動が行われていない制御刃３５と切断刃３４とは、形成された複数の刃によって、磁性ワイヤー３１の特定部分を短く複数に切断し、このような形状の切断刃３４、制御刃３５によって複数に切断された磁性ワイヤーは、検知装置によって検知不能の状態となり、図４（ｂ）に示す形状の切断刃３４、制御刃３５で磁性ワイヤーが用紙と共に切り取られるのと同じ効果を用紙に与え、用紙の特定の場所に検知可能な磁性ワイヤーを残すことができ、用紙に特定の磁気特性を形成することができる。
【００７７】
磁性ワイヤーは、例えば、切断される磁性ワイヤーの直径の１００倍以下の短い長さに切断される。
【００７８】
なお、切断刃３４、制御刃３５共に、構成される刃の幅（参照番号３７）は、用紙に付与される磁性ワイヤーの直径よりも大きい。
【００７９】
次に、情報形成装置１３における制御刃３５の設定の違いによって、用紙３０に異なる情報が形成される様子について図５、図６を参照して説明する。
【００８０】
図５、図６は、情報形成装置１３における制御刃３５の設定の違いによって、用紙３０に異なる情報が形成される様子について示す模式図である。
【００８１】
図５（ａ）は、情報が形成される前の状態である磁性ワイヤー３１が付与された用紙３０を示す模式図、図５（ｂ）は、情報形成装置１３の全ての制御刃３５がロール３３の中心方向に移動するように設定された状態を示す模式図、図５（ｃ）は、情報形成装置１３が図５（ｂ）に示す設定状態の時に、情報形成装置１３によって情報形成された用紙５０を示す模式図、図５（ｄ）は、用紙５０が図示しない検知装置によって検知される検知信号を示した模式図、図６（ｅ）は、情報形成装置１３の４つの制御刃のうち制御刃３８を除いた３つの制御刃３５がロール３３の中心方向に移動するように設定された状態を示す模式図、図６（ｆ）は、情報形成装置１３が図６（ｅ）に示す設定状態の時に、情報形成装置１３によって情報形成された用紙６０を示す模式図、図６（ｇ）は、用紙６０が図示しない検知装置によって検知される際の検知信号を示した模式図である。
【００８２】
図５（ａ）に示すように、用紙３０には、用紙の長手方向である縦方向に、用紙の縦の長さに相当する磁性ワイヤーが１本付与されている。
【００８３】
この用紙３０が、図５（ｂ）に示す全ての制御刃３５が中心方向に移動するように設定された情報形成装置１３によって情報が形成されると、図５（ｃ）に示すように、切断刃３４によって用紙３０上の磁性ワイヤー３１が４個所切り取られて、切断刃３４の内部に残り、切り取られた後には、用紙５０には短い磁性ワイヤーが４本残る。
【００８４】
この用紙５０からは、図５（ｄ）に示すように、交番磁界を発生させる励磁コイルを備えた検知装置に通過させることにより、存在する４本の短い磁性ワイヤーが交番磁界を受けて、大バルクハウゼン効果より発生する急峻な磁気パルスが検知装置の検知コイルを介して、用紙５０に存在する４本の短い磁性ワイヤーに対応した４つのパルス信号が検出される。
【００８５】
また、用紙３０が、図６（ｅ）に示す４つの制御刃のうち３つの制御刃３５が中心方向に移動するように設定されて、１つの制御刃３８が中心方向への移動制御が行われない状態である情報形成装置１３によって情報が形成されると、図６（ｆ）に示すように、切断刃３４と中心方向への移動制御が行われない制御刃３８によって用紙３０上の磁性ワイヤー３１の特定部分が切り取られて、用紙５０が形成される場合とは異なり、形成される用紙６０には短い磁性ワイヤーが３本存在する。
【００８６】
この用紙６０からは、図６（ｇ）に示すように、交番磁界を発生させる励磁コイルを備えた検知装置に通過させることにより、存在する３本の短い磁性ワイヤーが交番磁界を受けて、大バルクハウゼン効果より発生する急峻な磁気パルスが検知装置の検知コイルを介して、用紙６０に存在する３本の短い磁性ワイヤーに対応した３つのパルス信号が検出される。
【００８７】
図６（ｇ）に示す検知信号は、図５（ｄ）に示す検知信号とは異なり、一つのパルスが欠けているが、これは情報形成装置１３の中心方向への移動制御が行われなかった制御刃３８によって、用紙上の磁性ワイヤーが切り取られることが原因である。
【００８８】
このように、４つの制御刃のうち、中心方向への移動制御が行われない制御刃をどの制御刃にするかによって切り取られて残る磁性ワイヤーの配置が異なるので、制御される制御刃の選択によって用紙に残る磁性ワイヤーの配置を異ならせることができ、用紙が検知装置によって検知される際には、検知信号も異なるので、制御刃３５を制御することによって、情報形成装置１３は、用紙に異なる情報を形成することができる。
【００８９】
次に、画像形成装置１００において、印刷が行われ、印刷された用紙に情報形成装置１３で情報が形成される処理について図７を参照して説明を行う。
【００９０】
図７は、画像形成装置１００において、印刷が行われ、印刷が行われた用紙に情報形成装置１３で情報が形成される処理について示したフローチャートである。
【００９１】
画像形成装置１００は、ＰＣ２００から印刷ジョブを受け付けると（ステップ７０１）、印刷ジョブに含まれる画像データの印刷を給紙トレイ１に蓄えている磁性ワイヤー３１が付与された用紙３０を用いて感光ドラム８、転写ドラム１０等で行う（ステップ７０２）。
【００９２】
印刷が行われると、定着器１１より情報記録装置１３へ印刷が行われた用紙３０の搬送が開始される。
【００９３】
ここで、受け付けた印刷ジョブに情報形成装置１３を使用して用紙３０に情報を形成する指示が含まれていた場合には（ステップ７０３でＹＥＳ）、形成する情報に合わせて制御刃３５が移動制御され（ステップ７０４）、印刷されて搬送された用紙３０に情報形成装置１３によって情報が形成され（ステップ７０５）、その後、排紙トレイ１２に排紙される（ステップ７０５）。
【００９４】
また、印刷ジョブに情報形成装置１３を使用して用紙３０に情報を形成する指示が含まれていなかった場合には（ステップ７０３でＮＯ）、印刷が行われた用紙３０は、定着器１１より排出口１６を経由して排紙トレイ１２に排紙される（ステップ７０５）。
【００９５】
このようにして、画像形成装置１００において、印刷され磁性ワイヤーに情報が形成された用紙または印刷だけ行われた用紙が形成される。
【００９６】
なお、画像形成装置１００において、給紙トレイ１に蓄えられた用紙が使用されずに、手差しトレイ５に磁性ワイヤー３１が付与された用紙３０を設置して、用紙３０に情報が形成される印刷、或いは、印刷は行われずに情報形成装置１３によって情報が形成される処理だけが行われてもよい。
【００９７】
印刷はおこなわれずに情報形成装置１３によって用紙に３０印刷が行われて情報形成装置１３によって情報が形成される場合には、用紙３０は画像形成装置１００内で、手差しトレイ５もしくは給紙トレイ１から搬送路１７が使用されて情報形成装置１３に搬送されて情報形成される。
【００９８】
なお、画像形成装置１００は、ＰＣ２００から送られる印刷ジョブに限らず、画像形成装置１００に設置された操作パネル１５からの指示によって用紙に情報が形成される複写等の処理が行われてもよい。
【００９９】
なお、情報形成装置１３は、配置される切断刃３４をすべて移動制御が可能な制御刃３５にしてもよい。
【０１００】
次に、情報形成装置１３に配置される切断刃３４がすべて移動制御可能な制御刃３５に置き換えられた情報形成装置の刃の配置を図８を参照して説明する。
【０１０１】
図８は、情報形成装置１３に配置される切断刃３４がすべて移動制御可能な制御刃３５に置き換えられた情報形成装置の刃の配置を示す模式図である。
【０１０２】
図８に示すように、図４に示した情報形成装置１３のロール３３の断面図には切断刃３４が配置されていた箇所に、制御刃３５が配置され、新しく制御刃３５が配置された中心側には制御装置３６が配置されている。
【０１０３】
このように情報形成装置１３に配置する刃を全て制御刃３５にすることにより、制御刃３５の数が増えるので、用紙から磁性ワイヤーを切り取る、あるいは切り取らないとする制御ができる個所が増え、用紙に形成する情報量を増やすことができる。
【０１０４】
なお、用紙に付与される磁性ワイヤーは、用紙の搬送方向であって、用紙の長手方向である縦方向に平行に１本だけ付与されるのではなく、複数付与されて、図９に示すように、ローラ３３の周に刃をめぐらせる個所を、用紙に磁性ワイヤーが付与された数だけ設置して、情報形成装置は１回の動作で付与された複数の磁性ワイヤーから特定部分を切り取って、用紙に情報を形成することができる。
【０１０５】
なお、用紙に付与される磁性ワイヤーの方向は、用紙の搬送方向であって、用紙の長手方向である縦方向に平行な方向ではなく、用紙の搬送方向とは垂直である、用紙の横方向に平行な方向であってもよい。
【０１０６】
用紙の搬送方向とは垂直の方向に対して平行な方向に磁性ワイヤーが付与された場合には、情報形成装置は、図１０に示すように、ローラ３３に用紙搬送方向とは垂直方向に、磁性ワイヤーを切断する切断刃と制御刃が交互に設置、または制御刃だけが設置される。
【０１０７】
なお、画像形成装置内に情報形成装置を配置する場所は、図２に示した画像形成装置１００のように定着器１１の後工程でなくて、図１１に示す画像形成装置３００のように、給紙トレイ１からフィードローラ３、リタードローラ４によって用紙が搬送された後の工程に配置してもよい。
【０１０８】
なお、画像形成装置３００内の部品で、図２を参照して説明した画像形成装置１００と同じ部品については、同じ参照番号を付しており、重複を避ける為説明は省略する。
【０１０９】
なお、画像形成装置１００、３００に原稿を自動送りするオートドキュメントフィーダ機能を設置して、原稿搬送路上にも情報形成装置１３を設置することにより、自動送りされる、磁性ワイヤーが付与された原稿に対して情報を形成することも可能である。
【０１１０】
なお、本実施例では、情報形成装置１３に切断刃３４、制御刃３５が交互に４個ずつ配置される、或いは、制御刃が８個設置されるとして説明を行ったが、切断刃３４、制御刃３５が配置される場所と個数は任意の場所と個数でよい。
【０１１１】
また、情報形成装置１３に切断刃３４と制御刃３５を配置した場合の切断刃３４と制御刃３５との総数や、すべて制御刃３５を配置した場合の制御刃３５の総数は、８個として説明を行ったが、該総数は８個に限らず任意の数にすることができる。
【０１１２】
なお、磁性ワイヤーが付与された用紙から磁性ワイヤーを切り取るか否かの選択は、制御刃３５が制御装置３６によって制御されることにより行われるように説明したが、手動により制御刃３５が移動され、磁性ワイヤーを切り取るか否かの選択が行えるようにしてもよい。
【産業上の利用可能性】
【０１１３】
この発明は、磁性ワイヤーが付与された用紙を使用して印刷する画像形成装置において利用可能である。
【０１１４】
この発明によれば、用紙に付与された磁性ワイヤーの特定部分を用紙と一緒に切り取って、特定部分の磁性ワイヤーを用紙に残すことにより、用紙に特定の磁気特性を形成して、用紙に情報を形成することができる。
【図面の簡単な説明】
【０１１５】
【図１】本発明に係わる情報形成装置１３を適用した画像形成装置１００と、画像形成装置１００に印刷指示を送るパーソナルコンピュータ２００とを示す模式図。
【図２】本発明に係る情報形成装置が適用された画像形成装置１００の要部の構成を示す構成図。
【図３】情報形成装置１３の要部と情報形成装置１３によって用紙３０に情報が形成される様子を示す模式図。
【図４】情報形成装置１３のローラ３３に配置された切断刃３４と制御刃３５とを示した模式図。
【図５】情報形成装置１３における制御刃３５の設定の違いによって、用紙３０に異なる情報が形成される様子について示す模式図。
【図６】情報形成装置１３における制御刃３５の設定の違いによって、用紙３０に異なる情報が形成される様子について示す模式図。
【図７】画像形成装置１００において、印刷が行われ、印刷が行われた用紙に情報形成装置１３で情報が形成される処理について示したフローチャート。
【図８】情報形成装置１３に配置される切断刃３４がすべて移動制御が可能な制御刃３５に置き換えられた刃の配置を示す模式図。
【図９】用紙の搬送方向であって、用紙の長手方向である縦方向に平行に複数本の磁性ワイヤーが付与された印刷用紙に情報形成装置によって情報が形成される様子を示す模式図。
【図１０】用紙の搬送方向とは垂直の方向に対して平行に磁性ワイヤーが付与された印刷用紙に情報形成装置によって情報が形成される様子を示す模式図。
【図１１】給紙トレイ１からフィードローラ３、リタードローラ４によって用紙が搬送された直後の工程に情報形成装置３０１が配置される画像形成装置３００の要部を示す構成図。
【符号の説明】
【０１１６】
１    給紙トレイ
２    ピックローラ
３    フィードローラ
４    リタードローラ
５    手差しトレイ
６    原稿読取り機
７    露光装置
８    感光ドラム
９    現像器
１０    転写ドラム
１１    定着器
１２    排紙トレイ
１３    情報形成装置
１４    ＣＰＵ
１５    操作パネル
１６    排出口
１７    搬送路
３０    用紙
３１    磁性ワイヤー
３２    ローラ
３３    ローラ
３４    切断刃
３５    制御刃
３６    制御装置
５０    用紙
６０    用紙
１００    画像形成装置
２００    パーソナルコンピュータ
３００    画像形成装置
３０１    情報形成装置
１０００    制御刃
１００１    切断刃
【図１】
2006268539.tif 000003
【図２】
2006268539.tif 000004
【図３】
2006268539.tif 000005
【図４】
2006268539.tif 000006
【図５】
2006268539.tif 000007
【図６】
2006268539.tif 000008
【図７】
2006268539.tif 000009
【図８】
2006268539.tif 000010
【図９】
2006268539.tif 000011
【図１０】
2006268539.tif 000012
【図１１】
2006268539.tif 000013